(57)【要約】  マイクロ流体カートリッジ10は、封止リング32を有するサンプリングデバイス30であり、封止リング32が、生体試料を備える支持体が封止リングと接触した場合にマイクロ流体チャンバ31を形成するよう配置されるデバイス30と、マイクロ流体チャンバに試薬を供給するマイクロ流体ネットワークデバイス13とを備える。デバイス30は、マイクロ流体チャンバと流体連通する入口分配ネットワーク33aと出口分配ネットワーク33bと、生体試料を備える支持体をサンプリングデバイス上で案内・位置決めするスライドホルダ35とを備える。マイクロ流体ネットワークデバイスは、試薬源と流体連結する試薬入口チャネル18と、サンプリングデバイス入口分配ネットワーク33aに流体連結された試薬出口チャネル22と、出口チャネルに入口チャネルを連結するよう動作可能な弁25とを備える。デバイス30およびマイクロ流体ネットワークデバイス13は共通マイクロ流体支持体12上に形成される。【特許請求の範囲】
【請求項１】
マイクロ流体カートリッジ(10)であって、
封止リング(32)を有するサンプリングデバイス(30)であって、前記封止リング(32)が、上に固定された生体試料を備える支持体が前記封止リングと接触状態に置かれた場合にマイクロ流体チャンバ(31)を形成するように配置される、サンプリングデバイス(30)と、
前記マイクロ流体チャンバに対して試薬を供給するように構成されたマイクロ流体ネットワークデバイス(13)と、を備えており、
前記サンプリングデバイスは、前記マイクロ流体チャンバと流体連通状態にある入口分配ネットワーク(33a)および出口分配ネットワーク(33b)と、生体試料を備える前記支持体を前記サンプリングデバイス上で案内および位置決めするためのスライドホルダ(35)とをさらに備え、
前記マイクロ流体ネットワークデバイスは、試薬源と流体連結可能な複数の試薬入口チャネル(18)と、前記サンプリングデバイス入口分配ネットワーク(33a)に対して流体連結された少なくとも1つの試薬出口チャネル(22)と、前記少なくとも1つの出口チャネルに対して前記入口チャネルを選択的に連結するように動作可能な複数の弁(25)とを備え、
前記サンプリングデバイス(30)および前記マイクロ流体ネットワークデバイス(13)は、単体パーツとして共通マイクロ流体支持体(12)上に形成される、マイクロ流体カートリッジ(10)。
【請求項２】
試薬で充填されるように構成された複数のウェル(29a)を備える前記マイクロ流体支持体中に形成された試薬リザーバ本体(29)をさらに備え、各ウェル(29a)が、対応する入口チャネル(18)に対して流体連結される、請求項1に記載のマイクロ流体カートリッジ。
【請求項３】
前記サンプリングデバイス(30)は、前記マイクロ流体チャンバ(31)の2つの対向側部上に配置され第1の方向に沿って前記マイクロ流体チャンバ内部の試薬流を送るように構成された入口分配ネットワーク(33a)および出口分配ネットワーク(33b)を備える第1の試薬分配構成部と、前記マイクロ流体チャンバの2つの他の対向側部上に配置された入口分配ネットワーク(33c)および出口分配ネットワーク(33d)を備え、前記第1の方向に対して横方向である第2の方向において前記マイクロ流体チャンバ(31)内部の試薬流を送るように構成された第2の試薬分配構成部とを備える、請求項1または2に記載のマイクロ流体カートリッジ。
【請求項４】
前記マイクロ流体支持体は、前記入口チャネル、前記出口チャネル、ならびに前記サンプリングデバイス入口分配チャネルおよび前記サンプリングデバイス出口分配チャネルが形成された、一体形成されたプラスチック成形マイクロ流体基板を備える、請求項1から3のいずれか一項に記載のマイクロ流体カートリッジ。
【請求項５】
前記少なくとも1つの試薬出口チャネル(22)は、複数の前記試薬入口チャネルに対して連結された共通単一出口チャネルであり、前記出口チャネルは、弁部分(23)と前記弁部分(23)間の中間部分(24)とを備え、前記弁部分(23)は、前記入口チャネル(18)の出口端部部分(20)に隣接し、前記中間部分(24)は、直列で相互に対して流体連結され、前記複数の弁(25)のそれぞれが、前記共通試薬出口チャネルの対応する弁部分(23)に対して各入口チャネルの出口端部部分(20)を相互連結し、各弁が、対応する入口チャネルと前記試薬共通出口チャネルとの間の流体連通が閉じられる弁閉位置と、前記入口チャネルと前記試薬共通出口チャネルとの間の流体連通が開状態にある弁開位置との間において切り替え可能である、請求項1から4のいずれか一項に記載のマイクロ流体カートリッジ。
【請求項６】
前記共通試薬出口チャネル(22)は、前記入口チャネル(18)の出口端部部分(20)に対して略横方向である方向に延在する、請求項5に記載のマイクロ流体カートリッジ。
【請求項７】
前記試薬共通出口チャネル(22)は、第1の主要部分および第2の主要部分を備え、前記第1の主要部分および前記第2の主要部分は、離間され、前記入口チャネルの出口端部部分(20)に対して横方向である方向に延在する、請求項5または6のいずれかに記載のマイクロ流体カートリッジ。
【請求項８】
前記マイクロ流体ネットワークデバイス(13)は、外部試薬源に対して1つまたは複数の外部試薬入口チャネル(18)を流体結合するための複数の試薬入口カプリング(16a)を備える外部試薬入口セクション(16)をさらに備える、請求項1から7のいずれか一項に記載のマイクロ流体カートリッジ。
【請求項９】
前記外部試薬入口セクション(16)は、前記複数の弁(25)を備える弁セクション(14)に隣接する、請求項8に記載のマイクロ流体カートリッジ。
【請求項１０】
前記弁セクションは、前記外部試薬入口セクション(16)と前記搭載試薬リザーバ本体(29)との間に位置決めされる、請求項2との組合せにおける請求項9に記載のマイクロ流体カートリッジ。
【請求項１１】
前記サンプリングデバイス(30)は、前記マイクロ流体支持体の第1の端部に隣接して位置決めされる、請求項1から10のいずれか一項に記載のマイクロ流体カートリッジ。
【請求項１２】
前記搭載試薬リザーバ本体(29)は、前記第1の端部の対向側の前記マイクロ流体支持体の第2の端部に隣接して位置決めされる、請求項2との組合せにおける請求項11に記載のマイクロ流体カートリッジ。
【請求項１３】
前記マイクロ流体ネットワークデバイスは、カートリッジ出口(17)と、前記サンプリングデバイス(30)の前記出口分配ネットワーク(33b)に対して連結されたチャンバ出口チャネル(34)と、前記カートリッジ出口(17)に対して前記チャンバ出口チャネル(34)または前記試薬共通出口チャネル(22)のそれぞれを流体相互連結することにより、試料処理ステップ中に前記サンプリングデバイスの前記マイクロ流体チャンバ(31)からの試薬残渣を排出するように、または洗浄ステップ中に前記試薬共通出口チャネル(22)を通り循環する洗浄溶液を排出するように構成された少なくとも2つの弁とをさらに備える、請求項1から12のいずれか一項に記載のマイクロ流体カートリッジ。
【請求項１４】
前記マイクロ流体ネットワークデバイス(13)は、前記マイクロ流体ネットワークデバイス(13)の第1の側部上の前記マイクロ流体基板(12)内部に少なくとも部分的に埋設される一方で、前記サンプリングデバイス(30)の前記封止リング(32)および前記搭載リザーバ本体(29)は、前記第1の側部の対向側の前記マイクロ流体基板の第2の側部上に取り付けられる、請求項2との組合せにおける請求項1から13のいずれか一項に記載のマイクロ流体カートリッジ。
【請求項１５】
弁セクション(14)が、前記複数の弁(25)を備え、前記弁セクション(14)は、前記マイクロ流体基板(12)上に配設された撓み可能膜層(14a)を備える、請求項1から14のいずれか一項に記載のマイクロ流体カートリッジ。
【請求項１６】
生体試料処理システムであって、
請求項1から15のいずれか一項に記載のマイクロ流体カートリッジ(10)と、
前記マイクロ流体カートリッジ(10)を受けるカートリッジレセプタクル(60)、弁連係アセンブリ(45)、およびリザーバ本体連係アセンブリ(50)を備えるマイクロ流体カートリッジ動作システムであって、前記弁連係アセンブリは、対応する入口チャネルと前記試薬出口チャネルとの間の流体連通を形成するために各弁(25)を選択的に作動させるように動作可能である、マイクロ流体カートリッジ動作システムと
を備える、生体試料処理システム。
【請求項１７】
前記リザーバ本体連係アセンブリは、前記サンプリングデバイス(30)の1つまたは複数のウェルから前記マイクロ流体チャンバ(31)内への試薬の流れを誘起するように動作可能である、請求項2との組合せにおける請求項16に記載の生体試料処理システム。
【請求項１８】
前記リザーバ本体連係アセンブリは、非動作構成から動作構成へと前記カートリッジレセプタクル(60)に対して変位可能な送達マニホルドヘッド(50)を備え、前記動作構成においては、前記マニホルドヘッドの底面が前記リザーバ本体(29)の上面に対接して載置され、前記マニホルドヘッドは、前記複数のウェルに整列されて配設された複数の作動ライン(51)を備える、請求項17に記載の生体試料処理システム。
【請求項１９】
前記弁連係アセンブリ(45)および前記本体リザーバ連係アセンブリ(50)は、外部圧力源と連通状態にある、請求項1から18のいずれか一項に記載の生体試料処理システム。
【請求項２０】
前記弁連係アセンブリは、非動作構成から動作構成へと前記カートリッジレセプタクル(60)に対して変位可能な圧力送達マニホルドヘッド(45)を備え、前記動作構成においては、前記マニホルドヘッドの底面は前記マイクロ流体ネットワークデバイスの前記弁セクションまたは複数の弁セクションに対接して載置され、前記マニホルドヘッドは、複数の作動チャンバ(46)と、各作動チャンバと流体連通状態にある対応する作動ライン(47)とを備え、前記複数の作動チャンバ(46)は、各チャンバが前記対応する弁の弁入口オリフィス(26)および弁出口オリフィス(27)を囲むように配設され、前記圧力送達マニホルドヘッド(45)は、1つまたは複数の作動チャンバ(46)の内部に負圧を選択的に生成するように動作可能である、請求項19に記載の生体試料処理システム。
【請求項２１】
封止ガスケット(52)が、前記圧力送達マニホルドヘッド(50)の底面に対接して配置され、前記処理システムが動作構成にある場合に、前記第2の流体連係アセンブリの前記マニホルドヘッドがリザーバ本体の前記上面に対接して封止的に取り付けられることを確保するために、前記作動ラインの各出口を囲むように構成される、請求項20に記載の生体試料処理システム。
【請求項２２】
前記マイクロ流体ネットワークデバイスは、外部試薬源に対して1つまたは複数の入口チャネル(18)を結合するための複数の試薬入口カプリング(16a)を備える外部試薬入口セクション(16)をさらに備え、前記マイクロ流体カートリッジ動作システムは、外部試薬源に対して動作可能に連結された試薬送達マニホルドヘッド(55)を備える外部試薬連係アセンブリをさらに備え、前記試薬送達マニホルドヘッドは、前記対応する試薬入口カプリング(16a)に封止的に取り付けられるように配設された複数の試薬送達ライン(56)を備える、請求項1から21のいずれか一項に記載の生体試料処理システム。
【発明の詳細な説明】
【技術分野】
【０００１】
本発明は、内蔵型サンプリングデバイスと、このサンプリングデバイスに対して試薬を送達するためのマイクロ流体ネットワークデバイスとを備える、マイクロ流体カートリッジに関する。また、本発明は、このマイクロ流体カートリッジおよびマイクロ流体カートリッジ動作システムを備える生体試料処理システムに関する。本発明は、サンプリングデバイスに対する試薬の逐次的送達に対して特に有用である。
【背景技術】
【０００２】
カートリッジベースの試薬送達システム、ならびに種々の作動スキームおよび作動構成を伴う方法が知られている。しかし、多くは、きわめて特定の用途のみに対して適したものであり種々の欠点を呈するため汎用性がない。
【０００３】
特許文献１は、流体輸送のための膜ベース作動を伴う分子診断用途向けのマイクロ流体カートリッジを開示している。このカートリッジは、試料を分析するために小体積量の試薬を必要とする。しかし、このカートリッジは、試料を備えるスライドを受けるようには、または低死容積動作を可能にするようには構成されない。
【０００４】
特許文献２は、中を流通する粒子のサイトメトリ分析を容易にするように適合されたマイクロ流体デバイスを開示している。このマイクロ流体デバイスは、複数のチャンバを備えるチップを備えてもよく、各チャンバ内に所定量の細胞を仕分けるように設計され得る。しかし、この構成のデバイスは、死容積の発生を防止できない。
【０００５】
特許文献３は、例えば血小板細菌分析および抗グロブリン試験などを含む流体試料の操作、増幅、および分析のためのマイクロ流体デバイスを開示している。このマイクロ流体デバイスは、流体ポンプ送給を制御するためにならびにカートリッジ弁作動用に真空および圧縮空気を供給するためにカートリッジマニホルドに対して動作可能に連結される。しかし、この構成のデバイスは、高い特殊性および感度が必要とされる用途において非常に重要となり得る相互汚染の発生を防止できない。
【０００６】
特許文献４は、空圧器具の平行空圧連係プレート上に配置するためのマイクロ流体カートリッジを開示している。このカートリッジは、流体が内部で輸送される三次元流体チャネルと、カートリッジの外方表面の一部である可撓性膜とを備える。可撓性膜は、カートリッジが平行空圧連係プレート上に配置されると、可撓性膜の面に対して垂直な基底状態から2方向へと空圧により撓むことが可能である。この構成のカートリッジもまた、相互汚染および死容積を生じる傾向を有するという欠点を持つ。
【先行技術文献】
【特許文献】
【０００７】
【特許文献１】国際公開第2007/093939号パンフレット
【特許文献２】米国特許出願公開第2011/003330号明細書
【特許文献３】米国特許出願公開第2005/013732号明細書
【特許文献４】米国特許出願公開第2012/266986号明細書
【特許文献５】国際公開第2013/128322号パンフレット
【発明の概要】
【発明が解決しようとする課題】
【０００８】
本発明の1つの目的は、正確かつ信頼性の高い結果をもたらしながらも製造および使用が経済的である、一連の試薬を用いた支持体上に固定された生体試料の逐次的多重処理を可能にするマイクロ流体カートリッジを提供することである。
【０００９】
本発明の1つの具体的な目的は、正確かつ信頼性の高い結果をもたらしながらも製造および使用が経済的である、一連の試薬を用いた顕微鏡スライドなどの支持体上に不動化された生体組織試料の逐次的多重処理を可能にするマイクロ流体カートリッジを提供することである。
【００１０】
コンパクトなマイクロ流体カートリッジを提供することが有利である。
【００１１】
相互汚染およびマイクロ流体ネットワークの死容積に関連する問題のリスクを軽減するマイクロ流体カートリッジを提供することが有利である。
【００１２】
汎用性を有し種々の用途に対して使用または適合が可能であるマイクロ流体カートリッジを提供することが有利である。
【００１３】
本発明の別の目的は、マイクロ流体カートリッジを備える生体試料処理システムと、支持体上に固定された関心試料の自動処理のためのマイクロカートリッジ動作システムとを提供することである。
【００１４】
広範囲の用途にわたり支持体上に固定された種々のタイプの試料を自動的に分析することの可能な生体試料処理システムを提供することが有利である。
【課題を解決するための手段】
【００１５】
本発明の目的は、請求項1に記載のマイクロ流体カートリッジを提供することにより達成された。
【００１６】
本発明の目的は、請求項16に記載の生体試料処理システムを提供することにより達成された。
【００１７】
本明細書では、マイクロ流体カートリッジであって、封止リングを有するサンプリングデバイスであって、封止リングが、上に固定された生体試料を備える支持体が封止リングと接触状態に置かれた場合にマイクロ流体チャンバを形成するように配置される、サンプリングデバイスと、マイクロ流体チャンバに対して試薬を供給するように構成されたマイクロ流体ネットワークデバイスとを備える、マイクロ流体カートリッジが開示される。サンプリングデバイスは、マイクロ流体チャンバと流体連通状態にある入口分配ネットワークおよび出口分配ネットワークと、生体試料を備える前記支持体をサンプリングデバイス上で案内および位置決めするためのスライドホルダとを備える。マイクロ流体ネットワークデバイスは、試薬源と流体連結可能な複数の試薬入口チャネルと、サンプリングデバイス入口分配ネットワークに対して流体連結された少なくとも1つの試薬出口チャネルと、少なくとも1つの出口チャネルに対して入口チャネルを選択的に連結するように動作可能な複数の弁とを備え、サンプリングデバイスおよびマイクロ流体ネットワークデバイスは、単体パーツとして共通マイクロ流体支持体上に形成される。支持体は、支持体は、例えば、試薬で反応する試料を分析するためのカメラまたは他の光学検出システムの視野内の顕微鏡下に位置決めするための顕微鏡スライドの形態であってもよい。
【００１８】
一実施形態では、マイクロ流体カートリッジは、試薬で充填されるように構成された複数のウェルを備えるマイクロ流体支持体中に形成された試薬リザーバ本体をさらに備え、各ウェルが、対応する入口チャネルに対して流体連結される。
【００１９】
一実施形態では、サンプリングデバイスは、マイクロ流体チャンバの2つの対向側部上に配置され第1の方向に沿ってマイクロ流体チャンバ内部の試薬流を送るように構成された入口分配ネットワークおよび出口分配ネットワークを備える第1の試薬分配構成部と、マイクロ流体チャンバの2つの他の対向側部上に配置された入口分配ネットワークおよび出口分配ネットワークを備え、第1の方向に対して横方向である第2の方向においてマイクロ流体チャンバ内部の試薬流を送るように構成された第2の試薬分配構成部とを備える。
【００２０】
一実施形態では、マイクロ流体支持体は、入口チャネル、出口チャネル、ならびにサンプリングデバイス入口分配チャネルおよびサンプリングデバイス出口分配チャネルが形成された、一体形成されたプラスチック成形マイクロ流体基板を備える。
【００２１】
一実施形態では、少なくとも1つの試薬出口チャネルは、複数の前記試薬入口チャネルに対して連結された共通単一出口チャネルであり、前記出口チャネルは、弁部分と弁部分間の中間部分とを備え、弁部分は、入口チャネルの出口端部部分に隣接し、中間部分は、直列で相互に対して流体連結され、前記複数の弁のそれぞれが、共通試薬出口チャネルの対応する弁部分に対して各入口チャネルの出口端部部分を相互連結し、各弁が、対応する入口チャネルと試薬共通出口チャネルとの間の流体連通が閉じられる弁閉位置と、前記入口チャネルと試薬共通出口チャネルとの間の流体連通が開状態にある弁開位置との間において切り替え可能である。
【００２２】
一実施形態では、共通試薬出口チャネルは、入口チャネルの出口端部部分に対して略横方向である方向に延在する。
【００２３】
一実施形態では、試薬共通出口チャネルは、第1の主要部分および第2の主要部分を備え、第1の主要部分および第2の主要部分は、離間され、入口チャネルの出口端部部分に対して横方向である方向に延在する。
【００２４】
一実施形態では、マイクロ流体ネットワークデバイスは、外部試薬源に対して1つまたは複数の外部試薬入口チャネルを流体結合するための複数の試薬入口カプリングを備える外部試薬入口セクションをさらに備える。
【００２５】
一実施形態では、外部試薬入口セクションは、複数の弁を備える弁セクションに隣接する。
【００２６】
一実施形態では、弁セクションは、外部試薬入口セクションと搭載試薬リザーバ本体との間に位置決めされる。
【００２７】
一実施形態では、サンプリングデバイスは、マイクロ流体支持体の第1の端部に隣接して位置決めされる。
【００２８】
一実施形態では、搭載試薬リザーバ本体は、第1の端部の対向側のマイクロ流体支持体の第2の端部に隣接して位置決めされる。
【００２９】
一実施形態では、マイクロ流体ネットワークデバイスは、カートリッジ出口と、サンプリングデバイスの出口分配ネットワークに対して連結されたチャンバ出口チャネルと、カートリッジ出口に対してチャンバ出口チャネルまたは試薬共通出口チャネルのそれぞれを流体相互連結することにより、試料処理ステップ中にサンプリングデバイスのマイクロ流体チャンバからの試薬残渣を排出するように、または洗浄ステップ中に試薬共通出口チャネルを通り循環する洗浄溶液を排出するように構成された少なくとも2つの弁とをさらに備える。
【００３０】
一実施形態では、マイクロ流体ネットワークデバイスは、マイクロ流体ネットワークデバイスの第1の側部上のマイクロ流体基板内部に少なくとも部分的に埋設されてもよい一方で、サンプリングデバイスの封止リングおよび搭載リザーバ本体は、第1の側部の対向側の前記マイクロ流体基板の第2の側部上に取り付けられる。
【００３１】
一実施形態では、弁セクションが、複数の弁を備え、弁セクションは、マイクロ流体基板上に配設された撓み可能膜層を備える。
【００３２】
また、本明細書では、マイクロ生体試料処理システムであって、上述の実施形態のいずれか一項に記載されるようなマイクロ流体カートリッジと、マイクロ流体カートリッジを受けるカートリッジレセプタクル、弁連係アセンブリ、およびリザーバ本体連係アセンブリを備えるマイクロ流体カートリッジ動作システムであって、弁連係アセンブリが対応する入口チャネルと試薬出口チャネルとの間の流体連通を形成するために各弁を選択的に作動させるように動作可能である、マイクロ流体カートリッジ動作システムとを備える、マイクロ生体試料処理システムが開示される。
【００３３】
一実施形態では、リザーバ本体連係アセンブリは、サンプリングデバイスの1つまたは複数のウェルからマイクロ流体チャンバ内への試薬の流れを誘起するように動作可能である。
【００３４】
一実施形態では、リザーバ本体連係アセンブリは、非動作構成から動作構成へとカートリッジレセプタクルに対して変位可能な送達マニホルドヘッドを備え、動作構成においては、マニホルドヘッドの底面がリザーバ本体の上面に対接して載置され、マニホルドヘッドは、複数のウェルに整列されて配設された複数の作動ラインを備える。
【００３５】
一実施形態では、弁連係アセンブリおよび本体リザーバ連係アセンブリは、外部圧力源と連通状態にある。
【００３６】
一実施形態では、弁連係アセンブリは、非動作構成から動作構成へとカートリッジレセプタクルに対して変位可能な圧力送達マニホルドヘッドを備えてもよく、動作構成においては、マニホルドヘッドの底面はマイクロ流体ネットワークデバイスの弁セクションまたは複数の弁セクションに対接して載置され、マニホルドヘッドは、複数の作動チャンバと、各作動チャンバと流体連通状態にある対応する作動ラインとを備え、複数の作動チャンバは、各チャンバが対応する弁の弁入口オリフィスおよび出口オリフィスを囲むように配設され、圧力送達マニホルドヘッドは、1つまたは複数の作動チャンバの内部に負圧を選択的に生成するように動作可能である。
【００３７】
一実施形態では、封止ガスケットが、前記圧力送達マニホルドヘッドの底面に対接して配置されてもよく、処理システムが動作構成にある場合に、第2の流体連係アセンブリのマニホルドヘッドがリザーバ本体の上面に対接して封止的に取り付けられることを確保するために、作動ラインの各出口を囲むように構成される。
【００３８】
一実施形態では、マイクロ流体ネットワークデバイスは、外部試薬源に対して1つまたは複数の入口チャネルを結合するための複数の試薬入口カプリングを備える外部試薬入口セクションをさらに備え、マイクロ流体カートリッジ動作システムは、外部試薬源に対して動作可能に連結された試薬送達マニホルドヘッドを備える外部試薬連係アセンブリをさらに備え、試薬送達マニホルドヘッドは、対応する試薬入口カプリングに封止的に取り付けられるように配設された複数の試薬送達ラインを備える。
【００３９】
本発明のさらなる目的および有利な特徴は、特許請求の範囲、詳細な説明、および添付の図面から明らかになろう。
【図面の簡単な説明】
【００４０】
【図１】本発明の一実施形態によるマイクロ流体カートリッジの斜視図である。
【図２】図1のマイクロ流体カートリッジのマイクロ流体ネットワークデバイスの斜視図である。
【図３】図1のマイクロ流体カートリッジの平面透視図である。
【図４】別の実施形態によるマイクロ流体カートリッジの平面透視図である。
【図５ａ】別の実施形態によるマイクロ流体カートリッジの上方斜視図である。
【図５ｂ】別の実施形態によるマイクロ流体カートリッジの下方斜視図である。
【図６ａ】別の実施形態によるマイクロ流体カートリッジの上方斜視図である。
【図６ｂ】別の実施形態によるマイクロ流体カートリッジの下方斜視図である。
【図７】一実施形態による生体試料処理システムの斜視図である。
【図８ａ】弁が閉構成にある、マイクロ流体カートリッジの弁に対して動作可能に連結された一実施形態による弁連係アセンブリの作動チャンバの概略断面図である。
【図８ｂ】弁が開構成にある、マイクロ流体カートリッジの弁に対して動作可能に連結された一実施形態による弁連係アセンブリの作動チャンバの概略断面図である。
【図９】一実施形態によるマイクロ流体カートリッジの外部試薬入口セクションに関連する外部試薬連係アセンブリの概略部分断面図である。
【図１０】一実施形態によるマイクロ流体カートリッジのリザーバ本体に関連するリザーバ本体連係アセンブリの概略部分断面図である。
【発明を実施するための形態】
【００４１】
本願における「試薬」という用語の使用は、様々な用途向けのマイクロ流体カートリッジにおいて使用される様々な液体またはガスを範囲に含むように意図される。試薬としては、例えば抗体、撮像プローブ、洗浄用緩衝液、化学試薬、水、生理食塩水溶液、および関連用途で使用される他の液体などが含まれ得る。試料液体は、試験が実施される対象の試料を含む液体を意味するように意図され、かかる試料としては、例えば生体組織もしくは他の微生物物質、汚染物質、またはマイクロ流体ネットワークデバイスの下流に位置するサンプリングデバイスにより実施される特性に関する試験の対象となる他の物質などが含まれる。
【００４２】
マイクロ流体カートリッジと共に使用するための試料支持体上に固定(不動化)される試料タイプとしては、全組織試料、および例えば乳房組織、肺組織、扁桃腺、リンパ節組織、前立腺組織、内臓組織、肝組織、または腎組織などを含む種々の組織タイプの外科生検試料または針生検試料などの、架橋剤により固定されるものが含まれる。また、マイクロ流体カートリッジは、乳がん、肺がん、前立腺がん、卵巣がん、直腸がん、および黒腫からの生検試料などの腫瘍試料と共に、または血液試料もしくは細胞塗抹標本などの流体性試料と共に、または細菌などの微生物性試料と共に使用されてもよい。マイクロ流体カートリッジは、薄セクションへと切断されその後支持体/スライドに塗布される、架橋剤により固定される試料と共に使用されてもよい。
【００４３】
図面、特に図1および図2を次に参照すると、本発明の第1の態様によるマイクロ流体カートリッジ10が、このマイクロ流体カートリッジの用途として意図される試薬または試料液体で充填された複数のウェル29aを備えるリザーバ本体29と、試料を備えるスライドが封止リング32と接触状態に置かれた場合にマイクロ流体チャンバ31を形成するために配置された封止リング32を備える本質的に既知の(例えば特許文献５に記載されるような)サンプリングデバイス30と、リザーバ本体29の下流および試薬(抗体、撮像緩衝液、洗浄溶液等)が供給されるサンプリングデバイス30の上流において連結されるマイクロ流体ネットワークデバイス13とを備える。また、マイクロ流体ネットワークデバイス13は、リザーバ本体29のウェル29aの収容量を超過する高体積量で通常使用される洗浄緩衝液などの外部試薬源に対して連結するための試薬入口カプリング16aを備える。
【００４４】
リザーバ本体の各ウェルの容積は、好ましくは50μl〜5mlの範囲におよび、例えば約200μlである。試薬の流動作動は、1つまたは複数の圧力源を介して、各ウェルごとに別個にまたは複数のウェルにおいて同時的にのいずれかにおいて加圧することにより実現され得る。
【００４５】
一実施形態では、試薬供給源は、リザーバ本体29の複数のウェル29aによりカートリッジに搭載されて設けられ得る。
【００４６】
別の実施形態では、試薬供給源は、マイクロ流体ネットワークの試薬入口カプリングに対してチューブを介して連結された外部試薬源により供給され得る。
【００４７】
別の実施形態では、試薬供給源は、リザーバ本体29のウェル29a内のカートリッジに搭載された試薬と、マイクロ流体ネットワークデバイスの試薬入口カプリングに対してチューブを介して連結された外部試薬源との組合せを備えてもよい。
【００４８】
図5aおよび図5bに示す有利な実施形態では、マイクロ流体ネットワークデバイス13は、マイクロ流体基板12内部に少なくとも部分的に埋設されるか、または少なくともマイクロ流体基板12の第1の側部上に配設される。サンプリングデバイス30の封止リング32およびリザーバ本体29は、第1の側部の対向側のマイクロ流体基板12の第2の側部上に取り付けられる。サンプリングデバイス30は、上に生体試料を備えるスライドを封止リング32に対接して封止的に取り付けられた状態に維持することによりマイクロ流体チャンバ31の底側部を形成するためのクランピングシステム36を有するスライドホルダ35を備える。クランピングシステム36は、例えば、スライドを封止リング32に対接状態に位置案内および保持することを容易にするために封止リング32の両側部に隣接して配置されたガイドレール37によって支持される弾性付勢可能クリップ36aを備える。スライドホルダ35は、マイクロ流体基板12から約1mmの距離の位置にスライドを保持するように構成される。また、スライド上の試料は、マイクロ流体ネットワークデバイス13のチャネルを詰まらせ得る残渣をマイクロ流体チャンバ31から直接的に除去するために開チャンバ構成で脱ろうされ得る。
【００４９】
マイクロ流体ネットワークデバイス13は、複数の弁25(図8aおよび図8b)を備える弁セクション14と、チューブを介して外部試薬源に対して1つまたは複数の入口チャネル18(図3および図4)を流体結合するための複数の試薬入口カプリング16aを備える外部試薬入口セクション16とを備える。外部試薬入口セクション16は、弁セクション14に隣接して位置し、両セクション14、16は、例えば図1に示すようにリザーバ本体29とサンプリングデバイス30との間に配置される。
【００５０】
一実施形態では、弁セクション14は、マイクロ流体基板12上に配設された撓み可能膜層14aを備える。マイクロ流体基板12および撓み可能膜層14aは、本質的に同一形状を有してもよく、例えば実質的矩形形状、または意図される生体サンプリング用途に対してマイクロ流体ネットワークデバイス、サンプリングデバイス、および試料ウェル/試料連結セクションのレイアウトを最適化する任意の他の形状などを有し得る。
【００５１】
マイクロ流体ネットワークデバイス13は、カートリッジ10のリザーバ本体29の各ウェル29aに対して流体連結された複数の入口チャネル18を備える。各入口チャネル18は、中間チャネルセクション21により流体的に相互連結された入口端部19および出口端部20を備える。
【００５２】
好ましい一実施形態では、図3および図4において最もよく示されるようなマイクロ流体ネットワークデバイス13は、第1の主要部分および第2の主要部分を備える1つの試薬共通出口チャネル22をさらに備える。各主要部分は、弁部分23と、それらの弁部分23間の中間部分24とを備える。弁部分23は、入口チャネル18の出口端部20に隣接して位置決めされ、中間部分24は、相互に対して直列的に流体連結される。隣接し合う入口チャネル18の出口端部20同士は、複数の出口端部20が線形ラインに沿ってではなくジグザクラインもしくは波形状ラインに沿ってまたは振動ライン形状に沿って形成されるようにオフセットされ得る。したがって、試薬共通出口チャネルの第1の主要部分および第2の主要部分は、各入口チャネル18の出口端部20の近位に位置し、略ジグザグ経路、波状経路、または振動経路に沿って共に延在する。複数の出口端部20を見た場合に振動構成を形成するオフセットされた隣接し合う出口端部20により、よりコンパクトな配置が、すなわち対応する弁25を位置決めするために出口端部20により大きな空間が提供されることによって隣接し合う入口チャネル間の距離がより近くなることが可能となる。試薬共通出口チャネル22の第1の主要部分および第2の主要部分は、離間され、入口チャネル18または少なくとも入口チャネルの出口端部部分に対して略横方向に延在する。したがって、試薬共通出口チャネル22の弁部分23は、本質的に「T字」形状構成において入口チャネルの出口端部部分20に対して横方向に延在する。試薬共通出口チャネル22の第1の主要部分は、リザーバ本体29のウェル29aに対して流体連結された入口チャネル18に対して連結可能である一方で、試薬共通出口チャネル22の第2の主要部分は、外部試薬源に対して流体連結可能な入口チャネル18に対して連結可能である。
【００５３】
図8aおよび図8bを参照すると、弁は、入口チャネルの出口端部20に形成された弁入口オリフィス26と、上方に位置する、または試薬共通出口チャネル22の一部分を形成し弁分離壁部部分28により弁入口オリフィス26から分離された弁出口オリフィス27とを備える。撓み可能部材25aは、撓み可能部材25aが弁分離壁部部分28に対して押し付けられた場合に、弁の弁入口オリフィス26と弁出口オリフィス27との間の流体連通が妨げられる(すなわち弁が閉位置に置かれる)ように、弁入口オリフィス26、弁分離壁部部分28、および弁出口オリフィス27を覆って延在する。弁の弁出口オリフィス27は、出口チャネル22まで延在する小オリフィスであってもよいが、好ましくは試薬共通出口チャネル22の一部を形成する点を指摘することができる。後者の変形例では、液体が試薬共通出口チャネル22を通り流れる場合に、弁25の弁出口オリフィス27は死容積を生じさせず、弁出口オリフィス内の液体は試薬共通出口チャネル22内を流れる液体により運び去られる。
【００５４】
一実施形態では、撓み可能部材25aは、例えば弾性変形可能材料シートの形態などの弾性膜を備え得る。
【００５５】
一変形例では、撓み可能部材25aは、ばね付き弁プレート、プランジャ、またはボール(図示せず)を備えてもよく、これらのばね付き弁プレート、プランジャ、またはボールは、例えば出口オリフィス27および入口オリフィス26のエッジに対してこれらのプレート、プランジャ、またはボールを押し付ける圧縮ばねを備える。
【００５６】
弁入口オリフィス26および弁出口オリフィス27の概念は、図5aおよび図5bに示すような単一連続オリフィスまたは複数のオリフィス(図示せず)を含み得る点を指摘することができる。特に、弁入口オリフィスは、そのより大きな表面積の観点から、複数のより小さなオリフィスを備えることにより、これらのオリフィスに対する撓み可能部材のより良好な支持をもたらしても、または入口と出口との間の突出表面積比を制御してもよい。
【００５７】
一実施形態では、最外入口チャネル18a(図3および図4)が、種々の試薬の塗布間における洗浄中に、後の処理サイクルの液体による汚染を回避するために出口チャネル22が一方の端部22aから他方の端部22bまで完全に洗浄されることを確実にする洗浄溶液に対して連結され得る。かかる一実施形態では、マイクロ流体ネットワークデバイスの一方の端部に位置する最外入口チャネル18aは、試薬共通出口チャネル22の端部22aに連結し、出口チャネルの他方の端部22bは、廃棄ライン、パージライン、またはサンプリングデバイスに対して連結されたラインのいずれかであり得るマイクロ流体ネットワークデバイスの出口17に対して連結される。
【００５８】
したがって、マイクロ流体ネットワークデバイス22は、サンプリングデバイス30に対して連結された出口と、デバイス出口の下流に位置するサンプリングデバイス30もしくは他のデバイスを通り進むことなく液体を放出するための、またはマイクロ流体ネットワークデバイス内の気泡の排出中にデバイスを初期プライミングするための1つまたは複数のパージラインもしくは廃棄ラインとを任意に備えてもよい。
【００５９】
有利な実施形態では、入口チャネル18の出口端部20に対して入口端部19を接合する中間チャネルセクションが、流量制御部分21を備え得る。例えば、流量制御部分21は、入口チャネルを通る流体流量を減速する例えば蛇行チャネル構成により形成され得る抵抗チャネルを備えてもよい。
【００６０】
サンプリングデバイスは、試料処理チャンバ付近に位置決めされた開チャンバ動作用の吸引穴63(図1および図2を参照)をさらに備えてもよい。これらの吸引穴63により、スライドがマイクロ流体チャンバ31上に位置決めされない場合に、またはスライドがマイクロ流体チャンバ31上において非封止関係に位置決めされる場合に、マイクロ流体チャンバ31内に注入された試薬および液体の排出が可能となる。サンプリングデバイスは、開チャンバ動作において第1のチャネル38および第2のチャネル38'のそれぞれと流体連通状態となるマイクロ流体チャンバの外部の角に配置された吸引穴39a、39b、39c、39dをさらに備え得る。第1のチャネルおよび第2のチャネルは、第1の出口38aおよび第2の出口38bのそれぞれに対して連結され、第1の出口38aおよび第2の出口38bは、弁セクション14内に配置され、出口チャネル、特に共通出口チャネルに対して連結可能であり得る。
【００６１】
一実施形態では、図6aおよび図6bに示すようなマイクロ流体カートリッジ10、サンプリングデバイス30は、マイクロ流体チャンバ31の2つの対向側部に配置された入口分配ネットワーク33aおよび出口分配ネットワーク33bを備える第1の試薬分配構成部と、マイクロ流体チャンバ31の2つの他の対向側部に配置された入口分配ネットワーク33cおよび出口分配ネットワーク33dを備える第2の試薬分配構成部とを備える。第1の試薬分配構成部は、好ましくはマイクロ流体チャンバ31の長手方向である第1の方向に沿ってマイクロ流体チャンバ31内部に試薬流を送るように構成され、一方で第2の試薬分配構成部は、第1の方向に対して横方向である第2の方向においてマイクロ流体チャンバ31の内部に試薬流を送るように構成される。したがって、それぞれ異なる試薬が、好ましくは相互に対して直交する第1の方向および第2の方向に沿って流れ得る。第2の構成部の入口分配ネットワーク33cのチャネルの幅は、第2の構成部の出口分配ネットワーク33dのチャネルの幅よりも大きくてもまたは小さくてもよい。例えば、第2の構成部の出口分配ネットワーク33dのチャネルの幅は、固定された試料からの含ろう残渣などの物質流を許容するために第2の構成部の入口分配ネットワーク33cのチャネルの幅よりも大きくてもよい。
【００６２】
この実施形態によれば、マイクロ流体ネットワークデバイス13の様々なチャネル(例えば入口チャネル、試薬共通出口チャネル)ならびにマイクロ流体カートリッジのサンプリングデバイス30の入口分配ネットワークおよび出口分配ネットワークのチャネルは、マイクロ流体基板12内に溝として形成される。これらの溝は、積層造形技術(3D印刷、材料積層技術、成形、射出成形)または切削造形法(機械加工)によりマイクロ流体基板12の表面中に作製され得る。例えば有利には、マイクロ流体基板は、入口チャネル、試薬共通チャネル、ならびにサンプリングデバイス入口分配チャネルおよびサンプリングデバイス出口分配チャネルが成形型によって形成された、一体形成されたプラスチックパーツであってもよい。マイクロ流体カートリッジは、カートリッジ10のチャネルを封止的に形成するために、マイクロ流体ネットワークデバイス13の溝チャネル(例えば入口チャネル、試薬共通出口チャネル)上のマイクロ流体基板12の表面を覆うベース層プレートまたはフィルムを備えてもよい。このベース層は、基板に対して溶接、結合、または他の方法で固定され得る。また、チャネルは、積層造形プロセスによりモノリシック基板内に一体的に形成されてもよい。
【００６３】
一実施形態(図示せず)では、4つの分配ネットワークが、カートリッジ上の流れ案内弁(flow-directing valve)を使用する一構成にしたがって配置されることが可能であり、サンプリングデバイスは、マイクロ流体チャンバに対して試薬を導入するために使用される3つの入口分配ネットワークと、マイクロ流体チャンバ31からの流体の収集のために使用される1つの出口分配ネットワークとを備える。
【００６４】
図7を参照すると、本発明の一態様による生体試料処理システムは、上述したタイプのマイクロ流体カートリッジと、マイクロ流体カートリッジ動作システムとを備える。この動作システムは、マイクロ流体カートリッジ10を受けるカートリッジレセプタクル60と、弁連係アセンブリ45と、外部圧力源と流体連通状態にあるリザーバ本体連係アセンブリ50とを備える。
【００６５】
一実施形態では、弁連係アセンブリは、非動作構成から動作構成へとカートリッジレセプタクル60に対して変位可能な圧力送達マニホルドヘッド45を備え、動作構成では、マニホルドヘッド45の底面は、マイクロ流体ネットワークデバイス13の弁セクション14に対接して載置される(図8aおよび図8b)。マニホルドヘッド45は、複数の作動チャンバ46と、各作動チャンバと流体連通状態にある対応する作動ライン47とを備える。複数の作動チャンバ46は、各チャンバが対応する弁の弁入口オリフィス26および弁出口オリフィス27を囲むように配設される。圧力送達マニホルドヘッド45は、1つまたは複数の作動チャンバ46の内部に負圧を選択的に生成することにより、1つまたは複数の弁25の撓み可能部材25aを撓ませて、図8bに示すように少なくとも1つの入口チャネル18と試薬共通出口チャネル22との間に流体連通を生じさせるように動作可能である。また、一変形例では、撓み可能部材25aが、出口部分、入口部分、および弁分離壁部部分に対して正の弾性圧力を有し、弁開口が作動チャンバ46内の不足圧力(under-pressure)により作動されることが可能である。
【００６６】
一変形例では、マイクロ流体動作システムは、例えば撓み可能部材を圧迫して弁を閉じさせる、または撓み可能部材を解放もしくは引き上げて弁を開かせるなど、撓み可能部材に対して作用する例えば電磁手段、圧電手段、油圧手段によってなど、他の手段により弁を制御してもよい。
【００６７】
一実施形態では、リザーバ本体連係アセンブリは、非動作構成から動作構成へとカートリッジレセプタクル60に対して変位可能な圧力送達マニホルドヘッド50(図7および図10)を備え、この動作構成においてマニホルドヘッドの底面は、リザーバ本体29の上面に対接して載置される。マニホルドヘッド50は、1つまたは複数のウェル29aからサンプリングデバイス30のマイクロ流体チャンバ31内への試薬の流れを誘起するために、複数のウェル29aに整列されるように配設された複数の作動ライン51を備える。封止ガスケット52は、マニホルドヘッド50の底面に対接して配置され、処理システムが動作構成にある場合に、マニホルドヘッドがリザーバ本体29の上面に対接して封止的に取り付けられることを確保するために、作動ライン51の各出口を囲むように構成される。作動ラインは、定圧を供給し、それにより弁25は、対応する入口チャネル18内の試薬流を選択的に制御するように個別に選択的に動作可能である。一変形例では、作動ライン51は、対応する入口チャネル18内における試薬流を選択的に誘起するように個別に選択的に加圧され得る。
【００６８】
一実施形態では、生体試料処理システムのマイクロ流体カートリッジ動作システムは、外部試薬源に対して動作可能に連結された試薬送達マニホルドヘッド55を備える外部試薬連係アセンブリをさらに備える。図9に示すように、試薬送達マニホルドヘッド55は、送達ラインの外部部分の周囲に配設された例えばOリング57の形態などの各シーリングを収容する複数の試薬送達ライン56を備える。また、このシーリングは、マニホルドヘッド55とマイクロ流体支持体12との間に図10の構成と同様にガスケットの形態で設けられてもよい。したがって、試薬マニホルドヘッド55の送達ライン56は、マイクロ流体カートリッジ10の外部試薬入口セクション16の対応する試薬入口カプリング16aに対して封止的に結合されるように構成される。
【００６９】
また、マイクロ流体カートリッジ動作システムは、試料処理用の気密マイクロ流体チャンバを形成するために試料支持体(例えば標準的な顕微鏡スライド)に対してクランプ力を印加するように構成されたクランピングアクチュエータ41を備える。
【００７０】
一実施形態では、マイクロ流体カートリッジ10を受けるカートリッジレセプタクル60は、例えばピストン被動機構などによりクランピングアクチュエータ41、圧力送達マニホルドヘッド45、50、および試薬送達マニホルドヘッド55に対して垂直方向に作動され得る。例えば圧縮ばね42、43、44などの被付勢要素が、一方の端部においては各マニホルドヘッド45、50、55に対して、および他方の端部においては支持体に対して動作可能に結合される。これらの圧縮ばね42、43、44は、マニホルドヘッドの位置を調節することによりプリセット値にしたがって事前荷重をかけられ得る。したがって、各マニホルドヘッドによりマイクロ流体カートリッジ10の対応するセクションに対して印加される力は、マイクロ流体カートリッジ10がそれらの個々のマニホルドヘッドと接触状態にある場合にピストン被動機構により印加される力と、各マニホルドヘッドの圧縮ばねにより印加される力とを調節することによって微調整され得る。
【符号の説明】
【００７１】
生体試料処理システム
10  マイクロ流体カートリッジ
12  マイクロ流体支持体
マイクロ流体基板
13  マイクロ流体ネットワークデバイス
14  弁セクション
14a  撓み可能膜層
15  デバイス入口
15a  洗浄入口
16  外部試薬入口セクション
16a  試薬入口カプリング
17  カートリッジ出口
流体チャネル
18  入口チャネル
18a  洗浄入口チャネル
19  入口端部部分
20  出口端部部分
中間チャネルセクション
21  流量制御部分(抵抗、例えば蛇行状部分)
22  試薬共通出口チャネル
22a  入口端部
22b  出口端部
23  弁部分
24  中間部分
25  弁
25a  撓み可能部材
26  弁入口オリフィス
27  弁出口オリフィス
28  弁分離壁部部分
搭載リザーバ
29  リザーバ本体
29a  ウェル
30  サンプリングデバイス
31  マイクロ流体チャンバ
32  封止リング
第1の試薬分配構成部
33a  入口分配ネットワーク
33b  出口分配ネットワーク
第2の試薬分配構成部
33c  入口分配ネットワーク
33d  出口分配ネットワーク
34  チャンバ出口チャネル
35  スライドホルダ
36  クランピングシステム
36a  クリップ
37  案内構成部
レール
開チャンバ流体出口システム
38a、38b  出口
39a、39b、39c、39d  吸引穴
38、38'  チャネル
63  吸引穴
マイクロ流体カートリッジ動作システム
外部試薬源
試薬チューブ
40  動作システムベンチ
アクチュエータ
41  クランピングアクチュエータ
ピストン被動アクチュエータ
43  リザーバ本体連係アクチュエータ
付勢要素
圧縮ばね
弁連係アセンブリ
42  付勢要素
圧縮ばね
45  圧力送達マニホルドヘッド
46  作動チャンバ
47  作動ライン
リザーバ本体連係アセンブリ
43  付勢要素
圧縮ばね
50  圧力送達マニホルドヘッド
51  作動ライン
封止部材
52  ガスケット
外部試薬連係アセンブリ
44  付勢要素
圧縮ばね
55試薬送達マニホルドヘッド
56  試薬送達ライン
57  シーリング
Oリング
60  カートリッジレセプタクル
【図１】
2020535417.tif 000002
【図２】
2020535417.tif 000003
【図３】
2020535417.tif 000004
【図４】
2020535417.tif 000005
【図５ａ】
2020535417.tif 000006
【図５ｂ】
2020535417.tif 000007
【図６ａ】
2020535417.tif 000008
【図６ｂ】
2020535417.tif 000009
【図７】
2020535417.tif 000010
【図８ａ】
2020535417.tif 000011
【図８ｂ】
2020535417.tif 000012
【図９】
2020535417.tif 000013
【図１０】
2020535417.tif 000014
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
マイクロ流体カートリッジであって、
封止リングを有するサンプリングデバイスであって、前記封止リングは、上に固定された生体試料を備える支持体が前記封止リングと接触状態に置かれた場合にマイクロ流体チャンバを形成するように配置される、サンプリングデバイスと、
前記マイクロ流体チャンバに対して試薬を供給するように構成されたマイクロ流体ネットワークデバイスと、を備え、
前記サンプリングデバイスは、前記マイクロ流体チャンバと流体連通状態にある入口分配ネットワークおよび出口分配ネットワークと、生体試料を備える前記支持体を前記サンプリングデバイス上で案内および位置決めするためのスライドホルダとをさらに備え、
前記マイクロ流体ネットワークデバイスは、試薬源と流体連結可能な複数の試薬入口チャネルと、前記サンプリングデバイスの前記入口分配ネットワークに対して流体連結された少なくとも1つの試薬出口チャネルと、前記少なくとも1つの出口チャネルに対して前記試薬入口チャネルを選択的に連結するように動作可能な複数の弁と、を備え、
前記サンプリングデバイスおよび前記マイクロ流体ネットワークデバイスは、単体パーツとして共通のマイクロ流体支持体の上に形成される、マイクロ流体カートリッジ。
【請求項２】
試薬で充填されるように構成された複数のウェルを備える前記マイクロ流体支持体の中に形成された試薬リザーバ本体をさらに備え、各ウェルが、対応する入口チャネルに対して流体連結される、請求項1に記載のマイクロ流体カートリッジ。
【請求項３】
前記サンプリングデバイスは、前記マイクロ流体チャンバの2つの対向側部上に配置され第1の方向に沿って前記マイクロ流体チャンバ内部の試薬流を送るように構成された入口分配ネットワークおよび出口分配ネットワークを備える第1の試薬分配構成部と、前記マイクロ流体チャンバの2つの他の対向側部上に配置された入口分配ネットワークおよび出口分配ネットワークを備え、前記第1の方向に対して横方向である第2の方向において前記マイクロ流体チャンバの内部の試薬流を送るように構成された第2の試薬分配構成部と、を備える、請求項1または2に記載のマイクロ流体カートリッジ。
【請求項４】
前記マイクロ流体支持体は、前記試薬入口チャネル、前記出口チャネル、ならびに前記サンプリングデバイスの入口分配チャネルおよび前記サンプリングデバイスの出口分配チャネルが形成された、一体形成されたプラスチック成形マイクロ流体基板を備える、請求項1から3のいずれか一項に記載のマイクロ流体カートリッジ。
【請求項５】
前記少なくとも1つの試薬出口チャネルは、複数の前記試薬入口チャネルに対して連結された共通単一出口チャネルであり、前記出口チャネルは、弁部分と前記弁部分間の中間部分とを備え、前記弁部分は、前記試薬入口チャネルの出口端部部分に隣接し、前記中間部分は、直列で相互に対して流体連結され、前記複数の弁のそれぞれが、共通の前記試薬出口チャネルの対応する弁部分に対して各試薬入口チャネルの出口端部部分を相互連結し、各弁が、対応する試薬入口チャネルと共通の前記試薬出口チャネルとの間の流体連通が閉じられる弁閉位置と、前記試薬入口チャネルと共通の前記試薬出口チャネルとの間の流体連通が開状態にある弁開位置との間において切り替え可能である、請求項1から4のいずれか一項に記載のマイクロ流体カートリッジ。
【請求項６】
共通の前記試薬出口チャネルは、前記試薬入口チャネルの出口端部部分に対して略横方向である方向に延在する、請求項5に記載のマイクロ流体カートリッジ。
【請求項７】
共通の前記試薬出口チャネルは、第1の主要部分および第2の主要部分を備え、前記第1の主要部分および前記第2の主要部分は、離間され、前記試薬入口チャネルの出口端部部分に対して横方向である方向に延在する、請求項5または6に記載のマイクロ流体カートリッジ。
【請求項８】
前記マイクロ流体ネットワークデバイスは、外部試薬源に対して1つまたは複数の外部試薬入口チャネルを流体結合するための複数の試薬入口カプリングを備える外部試薬入口セクションをさらに備える、請求項1から7のいずれか一項に記載のマイクロ流体カートリッジ。
【請求項９】
前記外部試薬入口セクションは、前記複数の弁を備える弁セクションに隣接する、請求項8に記載のマイクロ流体カートリッジ。
【請求項１０】
試薬で充填されるように構成された複数のウェルを備えるマイクロ流体支持体中に形成された試薬リザーバ本体をさらに備え、各ウェルが、対応する入口チャネルに対して流体連結され、前記弁セクションは、前記外部試薬入口セクションと、搭載された前記試薬リザーバ本体と、の間に位置決めされる、請求項9に記載のマイクロ流体カートリッジ。
【請求項１１】
前記サンプリングデバイスは、前記マイクロ流体支持体の第1の端部に隣接して位置決めされる、請求項1から10のいずれか一項に記載のマイクロ流体カートリッジ。
【請求項１２】
試薬で充填されるように構成された複数のウェルを備えるマイクロ流体支持体中に形成された試薬リザーバ本体をさらに備え、各ウェルが、対応する入口チャネルに対して流体連結され、前記試薬リザーバ本体は、前記第1の端部の対向側の前記マイクロ流体支持体の第2の端部に隣接して位置決めされる、請求項11に記載のマイクロ流体カートリッジ。
【請求項１３】
前記マイクロ流体ネットワークデバイスは、カートリッジ出口と、前記サンプリングデバイスの前記出口分配ネットワークに対して連結されたチャンバ出口チャネルと、前記カートリッジ出口に対して前記チャンバ出口チャネルまたは共通の前記試薬出口チャネルのそれぞれを流体相互連結することにより、試料処理ステップ中に前記サンプリングデバイスの前記マイクロ流体チャンバからの試薬残渣を排出するように、または洗浄ステップ中に共通の前記試薬出口チャネルを通り循環する洗浄溶液を排出するように構成された少なくとも2つの弁とをさらに備える、請求項1から12のいずれか一項に記載のマイクロ流体カートリッジ。
【請求項１４】
試薬で充填されるように構成された複数のウェルを備えるマイクロ流体支持体中に形成された試薬リザーバ本体をさらに備え、各ウェルが、対応する入口チャネルに対して流体連結され、前記マイクロ流体ネットワークデバイスは、前記マイクロ流体ネットワークデバイスの第1の側部上のマイクロ流体基板の内部に少なくとも部分的に埋設される一方で、前記サンプリングデバイスの前記封止リングおよび前記試薬リザーバ本体は、前記第1の側部の対向側の前記マイクロ流体基板の第2の側部上に取り付けられる、請求項1から13のいずれか一項に記載のマイクロ流体カートリッジ。
【請求項１５】
弁セクションが、前記複数の弁を備え、前記弁セクションは、マイクロ流体基板上に配設された撓み可能膜層を備える、請求項1から14のいずれか一項に記載のマイクロ流体カートリッジ。
【請求項１６】
生体試料処理システムであって、
請求項1から15のいずれか一項に記載のマイクロ流体カートリッジと、
前記マイクロ流体カートリッジを受けるカートリッジレセプタクル、弁連係アセンブリ、およびリザーバ本体連係アセンブリを備えるマイクロ流体カートリッジ動作システムであって、前記弁連係アセンブリは、対応する入口チャネルと前記試薬出口チャネルとの間の流体連通を形成するために各弁を選択的に作動させるように動作可能である、マイクロ流体カートリッジ動作システムと
を備える、生体試料処理システム。
【請求項１７】
試薬で充填されるように構成された複数のウェルを備えるマイクロ流体支持体中に形成された試薬リザーバ本体をさらに備え、各ウェルが、対応する入口チャネルに対して流体連結され、前記リザーバ本体連係アセンブリは、前記サンプリングデバイスの1つまたは複数のウェルから前記マイクロ流体チャンバ内への試薬の流れを誘起するように動作可能である、請求項16に記載の生体試料処理システム。
【請求項１８】
前記リザーバ本体連係アセンブリは、非動作構成から動作構成へと前記カートリッジレセプタクルに対して変位可能な送達マニホルドヘッドを備え、前記動作構成においては、前記送達マニホルドヘッドの底面が前記試薬リザーバ本体の上面に対接して載置され、前記送達マニホルドヘッドは、前記複数のウェルに整列されて配設された複数の作動ラインを備える、請求項17に記載の生体試料処理システム。
【請求項１９】
前記弁連係アセンブリおよび前記リザーバ本体連係アセンブリは、外部圧力源と連通状態にある、請求項16から18のいずれか一項に記載の生体試料処理システム。
【請求項２０】
前記弁連係アセンブリは、非動作構成から動作構成へと前記カートリッジレセプタクルに対して変位可能な圧力送達マニホルドヘッドを備え、前記動作構成においては、前記圧力送達マニホルドヘッドの底面は前記マイクロ流体ネットワークデバイスの弁セクションまたは複数の弁セクションに対接して載置され、前記圧力送達マニホルドヘッドは、複数の作動チャンバと、各作動チャンバと流体連通状態にある対応する作動ラインとを備え、前記複数の作動チャンバは、各チャンバが前記対応する弁の弁入口オリフィスおよび弁出口オリフィスを囲むように配設され、前記圧力送達マニホルドヘッドは、1つまたは複数の作動チャンバの内部に負圧を選択的に生成するように動作可能である、請求項19に記載の生体試料処理システム。
【請求項２１】
封止ガスケットが、前記圧力送達マニホルドヘッドの底面に対接して配置され、前記生体試料処理システムが動作構成にある場合に、第2の流体連係アセンブリの前記圧力送達マニホルドヘッドがリザーバ本体の上面に対接して封止的に取り付けられることを確保するために、前記作動ラインの各出口を囲むように構成される、請求項20に記載の生体試料処理システム。
【請求項２２】
前記マイクロ流体ネットワークデバイスは、外部試薬源に対して1つまたは複数の入口チャネルを結合するための複数の試薬入口カプリングを備える外部試薬入口セクションをさらに備え、前記マイクロ流体カートリッジ動作システムは、外部試薬源に対して動作可能に連結された試薬送達マニホルドヘッドを備える外部試薬連係アセンブリをさらに備え、前記試薬送達マニホルドヘッドは、前記対応する試薬入口カプリングに封止的に取り付けられるように配設された複数の試薬送達ラインを備える、請求項16から21のいずれか一項に記載の生体試料処理システム。
【国際調査報告】
2020535417.tif 000015
2020535417.tif 000016
2020535417.tif 000017